(57)【要約】【課題】記録動作時における静粛性を確保する。【解決手段】キャリッジ１５に搭載された記録ヘッド１２に複数の記録ワイヤを備え、これらの記録ワイヤの突出動作により、インクリボンを介してシートに記録する記録装置において、前記インクリボンを収納するステーショナリー形式のリボンカートリッジ４０と、前記リボンカートリッジ４０に設けられ、前記キャリッジ１５の移動範囲のうち少なくとも前記記録ヘッド１２によるシートへの記録が行われる記録領域を覆う遮音部材４０Ａとを備える構成とした。【選択図】      図１
2004322462.tif 000002
【特許請求の範囲】
【請求項１】
キャリッジに搭載された記録ヘッドに複数の記録ワイヤを備え、これらの記録ワイヤの突出動作により、インクリボンを介してシートに記録する記録装置において、
前記インクリボンを収納するステーショナリー形式のリボンカートリッジと、
前記リボンカートリッジに設けられ、前記キャリッジの移動範囲のうち少なくとも前記記録ヘッドによるシートへの記録が行われる記録領域を覆う遮音部材と
を具備することを特徴とする記録装置。
【請求項２】
前記遮音部材は、吸音材を備える
ことを特徴とする請求項１に記載の記録装置。
【請求項３】
前記吸音材は、前記遮音部材上の、前記キャリッジと対向する面内に設けられる
ことを特徴とする請求項２に記載の記録装置。
【請求項４】
キャリッジに搭載された記録ヘッドに複数の記録ワイヤを備え、これらの記録ワイヤの突出動作により、インクリボンを介してシートに記録する記録装置において、
前記インクリボンを収納するステーショナリー形式のリボンカートリッジと、
前記リボンカートリッジに設けられ、前記キャリッジの移動範囲のうち少なくとも前記記録ヘッドによるシートへの記録が行われる記録領域を覆う遮音部材とを備え、
前記遮音部材または前記インクリボンカートリッジには、前記記録ヘッドによる記録動作時に発生する音を吸音する吸音材が設けられる
ことを特徴とする記録装置。
【請求項５】
キャリッジに搭載された記録ヘッドに複数の記録ワイヤを備えた記録装置に取り付けられるステーショナリー形式のリボンリボンカートリッジにおいて、
前記キャリッジの移動範囲のうち少なくとも前記記録ヘッドによるシートへの記録が行われる記録領域を覆う遮音部材
を具備することを特徴とする記録装置のリボンカートリッジ。
【請求項６】
前記遮音部材は、吸音材を備える
ことを特徴とする請求項５に記載のリボンカートリッジ。
【発明の詳細な説明】
【０００１】
【発明の属する技術分野】
本発明は、記録装置及びリボンカートリッジにかかり、特に記録動作時の騒音を低減する技術に関する。
【０００２】
【従来の技術】
一般に、キャリッジに搭載された記録ヘッドに複数の記録ワイヤを備え、これらの記録ワイヤの突出動作により、インクリボンを介してシートに画像を記録するドットインパクトプリンタが知られている（例えば、特許文献１）。
【０００３】
【特許文献１】
特開平５−１１６３４５号公報
【０００４】
【発明が解決しようとする課題】
このようなプリンタでは、キャリッジ及び記録ヘッドが動作する記録動作時に、騒音が生じるといった問題がある。特に、キャリッジが高速動作する場合には、その騒音がより顕著なものとなる。
【０００５】
本発明は、上述した事情を鑑みてなされたものであり、記録動作時における静粛性を確保できる記録装置及びリボンカートリッジを提供することを目的とする。
【０００６】
【課題を解決するための手段】
上記目的を達成するために、請求項１記載の発明は、キャリッジに搭載された記録ヘッドに複数の記録ワイヤを備え、これらの記録ワイヤの突出動作により、インクリボンを介してシートに記録する記録装置において、前記インクリボンを収納するステーショナリー形式のリボンカートリッジと、前記リボンカートリッジに設けられ、前記キャリッジの移動範囲のうち少なくとも前記記録ヘッドによるシートへの記録が行われる記録領域を覆う遮音部材とを具備することを特徴とする。
【０００７】
請求項２記載の発明は、請求項１に記載の記録装置において、前記遮音部材は、吸音材を備えることを特徴とする。
【０００８】
請求項３記載の発明は、請求項２に記載の記録装置において、前記吸音材は、前記遮音部材上の、前記キャリッジと対向する面内に設けられることを特徴とする。
【０００９】
請求項４記載の発明は、キャリッジに搭載された記録ヘッドに複数の記録ワイヤを備え、これらの記録ワイヤの突出動作により、インクリボンを介してシートに記録する記録装置において、前記インクリボンを収納するステーショナリー形式のリボンカートリッジと、前記リボンカートリッジに設けられ、前記キャリッジの移動範囲のうち少なくとも前記記録ヘッドによるシートへの記録が行われる記録領域を覆う遮音部材とを備え、前記遮音部材または前記インクリボンカートリッジには、前記記録ヘッドによる記録動作時に発生する音を吸音する吸音材が設けられることを特徴とする。
【００１０】
請求項５記載の発明は、キャリッジに搭載された記録ヘッドに複数の記録ワイヤを備えた記録装置に取り付けられるステーショナリー形式のリボンリボンカートリッジにおいて、前記キャリッジの移動範囲のうち少なくとも前記記録ヘッドによるシートへの記録が行われる記録領域を覆う遮音部材を具備することを特徴とする。
【００１１】
請求項６記載の発明は、請求項５に記載のリボンカートリッジにおいて、前記遮音部材は、吸音材を備えることを特徴とする。
【００１２】
【発明の実施の形態】
以下、本発明の実施の形態を、図面に基づき説明する。図１及び図２は、磁気記録再生装置を備えたドットインパクトプリンタを示す全体斜視図、図３及び図４は、図１及び図２のプリンタを示す側断面図である。
【００１３】
これらの図１乃至図４に示す記録装置としてのプリンタ１０は、記録ヘッド１２（図２参照）の多数の記録ワイヤを、インクリボン（図示せず）を介して画像記録用紙に打ち付けてドットを記録することにより、文字を含む画像を記録するパスブック型のドットインパクトプリンタであり、磁気記録再生装置１１を一体に装備している。
【００１４】
上記画像記録用紙は、通常、金融機関等で使用されている通帳や複写紙、一枚紙等であり、この通帳に貼着された磁気記録用紙としての磁気ストライプに、上記磁気記録再生装置１１が磁気情報を記録し、または、この記録された磁気情報を読み取って再生する。
【００１５】
プリンタ１０は、図１及び図２に示すように、左サイドフレーム１３、右サイドフレーム１４及びベースフレームを備えた本体フレームに、キャリッジ１５（図２）、上記記録ヘッド１２（図２）、搬送装置（フロントローラ、リアローラ）、上記磁気記録再生装置１１、及び制御装置としての制御基板部を有して構成される。また、プリンタ１０は、ステーショナリー形式のリボンカートリッジ４０を備え、このリボンカートリッジ４０にはインクリボンが収納されている。
【００１６】
上記搬送装置は、図３及び図４に示すように、フロントローラＦＲ、リアローラＲＲからなり、フロントローラＦＲは、上下一対の駆動ローラ１７Ａ及び従動ローラ１８Ａで構成され、リアローラＲＲは、同じく上下一対の駆動ローラ１７Ｂ及び従動ローラ１８Ｂで構成され、これらは記録ヘッド１２の両側に一組づつ配置され、これら二組の駆動ローラ１７及び従動ローラ１８が、搬送案内１９に載置された通帳等を挟持して、この通帳等を副走査方向（矢印Ａ方向）に搬送する。なお、従動ローラ１８は、駆動ローラ１７と同様に駆動ローラであってもよい。
【００１７】
上記キャリッジ１５は記録ヘッド１２を搭載し、この記録ヘッド１２を、プラテン４９に沿って主走査方向（矢印Ａと直交する方向）右向きまたは左向きに走行させる。この主走査方向は、搬送装置による通帳等の搬送方向（副走査方向）と直交する方向である。
【００１８】
上記プラテン４９は、付勢ばね（図示せず）を用いて、記録ヘッド１２に対し接離する方向に移動自在に弾性支持される。これにより、記録ヘッド１２とプラテン４９との間に厚さの異なる通帳等が搬送された時に、プラテン４９が通帳等の厚さ方向で、記録ヘッド１２から離れる向きに移動して、記録ヘッド１２と通帳等の表面（印字面）との間に一定のプラテンギャップが確保される。
【００１９】
上記記録ヘッド１２は多数の記録ワイヤ（図示せず）を備え、これらの記録ワイヤの突出方向前方で、記録ヘッド１２とプラテン４９との間にインクリボン（図示せず）が位置する。この記録ヘッド１２は、キャリッジと共に主走査方向に走行する間に、記録ワイヤを突出させてインクリボンに打ち当て、このインクリボンのインクを、記録ヘッド１２の下方に位置する通帳等に付着させて、この通帳等に文字を含む画像を記録する。
【００２０】
ところで、このドットインパクトプリンタ１０を用いて、例えば、通帳の見開き頁間に跨って画像を記録する場合がある。この場合、通帳は、見開いた状態で、例えば、通帳先端側からドットインパクトプリンタ１０に対し、矢印Ａ方向（図３）に挿入される。そして、通帳の見開き頁間に跨って画像を記録する場合、記録ヘッド１２は、見開き頁間の段差を乗り越えて走査される。この段差間の乗り移りを円滑にするため、通帳上を転動する転動ローラ３１が記録ヘッド１２に設けられている。この構成のプリンタでは、通帳を挿入する場合、まず、記録ヘッド１２を支持するキャリッジ１５を走査して、記録ヘッド１２を通帳挿入領域から外れた位置に退避させておき、所定の位置まで通帳が挿入された後、当該キャリッジ１５を走査して、記録ヘッド１２による画像の記録を開始する。４５は通帳を整列させるシャッターである。
【００２１】
所定の位置まで通帳が挿入される場合、この通帳は、図３に示すフィルム３３を押し退けるようにして挿入される。従って、所定の位置では、通帳の上に当該フィルム３３が乗り、このフィルム３３の上を、段差間の乗り移りを円滑にするための、上述した転動ローラ３１が転動する。これによれば、転動ローラ３１は、フィルム３３を介して通帳の記帳面に接触するため、当該通帳の記帳面が凹んだり、或いは汚れることがない。
【００２２】
さて、図１乃至図４に示すように、本実施形態にかかるプリンタ１０は、キャリッジ１５の移動範囲であって少なくとも当該キャリッジ１５に搭載された記録ヘッド１２によって記録が行われる記録領域を覆う遮音部材４０Ａを有している。
【００２３】
更に詳述すると、図５に示すように、遮音部材４０Ａは、例えばプラスチック等の樹脂材から形成された断面Ｌ字状部材であり、キャリッジ１５の上方（図４上方）および前方（図４左側）を覆う姿勢でステーショナリー形式のリボンカートリッジ４０に取り付けられている。リボンカートリッジ４０への遮音部材４０Ａの取り付けは、例えば接着などにより行われても良く、あるいは、リボンカートリッジ４０に遮音部材Ａとを一体成形しても良い。
【００２４】
ここで、キャリッジ１５の主走査方向における遮音部材４０Ａの幅は、当該キャリッジ１５に搭載された記録ヘッド１２によりシートへの記録が行われる範囲を覆う程度の幅があれば良い。すなわち、キャリッジ１５の移動よりも記録ヘッド１２による記録動作の方が比較的音が大きいため、この記録動作時の音を遮音することで防音できれば良いのである。勿論、遮音部材４０Ａがキャリッジ１５の移動範囲全体を覆う程度の幅を有していても良く、更に、図６に示すように、上記遮音部材４０Ａがキャリッジ１５の移動範囲全体を覆うと共に、その両端を閉じる側壁４０Ｂ、４０Ｃを備え、キャリッジ１５の上方、前方および両側面が遮音部材４０Ａにより密閉される構成であっても良い。遮音部材４０Ａによるキャリッジ１５の密閉度が大きいほど、防音効果が大きく、記録動作時における静粛性を確保できる。
【００２５】
また、別の実施形態として、図７に示すように、遮音部材４０Ａの記録ヘッド１２が配置される側の面上に、軟質ウレタンフォームなどから形成された吸音材４１Ａ、４１Ｂが接着剤或いは両面テープにより貼り付けられた構成としても良い。この構成により、記録ヘッド１２による記録動作時に発生する音が吸音材４１Ａ、４１Ｂにより吸音され、防音効果が増すこととなる。
【００２６】
さらにまた、別の実施形態として、図８に示すように、リボンカートリッジ４０の前面（図中左側の面）であり遮音部材４０の上方に吸音材４１Ｃが貼り付けられた構成としても良い。
【００２７】
要するに上記吸音材４１は、記録動作時の記録ヘッド１２或いはキャリッジ１５からプリンタ１０の前方に向けて放出される音を吸音できる場所に設けられれば良く、その場所が遮音部材４０Ａの内側（キャリッジ１５が配置される側）であっても、外側であってもどちらでも良い。
【００２８】
以上、本発明を上記実施の形態に基づいて説明したが、本発明はこれに限定されるものではない。例えば、パスブック型ドットインパクトプリンタに限定されず、一般の記録装置に適用可能なことは云うまでもない。
【００２９】
【発明の効果】
本発明によれば、記録動作時における静粛性を確保できる記録装置及びリボンカートリッジが提供される。
【図面の簡単な説明】
【図１】本発明の一実施形態にかかる、磁気記録再生装置を備えたパスブック型ドットインパクトプリンタを示す全体斜視図である。
【図２】同ドットインパクトプリンタを示す全体斜視図である。
【図３】同ドットインパクトプリンタの側断面図である。
【図４】同ドットインパクトプリンタの側断面図である。
【図５】同リボンカートリッジの構成を示す斜視図である。
【図６】本発明のその他の実施形態にかかる、リボンカートリッジの構成を示す斜視図である。
【図７】本発明のその他の実施形態にかかる、磁気記録再生装置を備えたパスブック型ドットインパクトプリンタの側断面図である。
【図８】本発明のその他の実施形態にかかる、磁気記録再生装置を備えたパスブック型ドットインパクトプリンタの側断面図である。
【符号の説明】
１０  プリンタ（記録装置）
１１  磁気記録再生装置
１２  記録ヘッド
４９  プラテン
４０  リボンカートリッジ
４０Ａ  遮音部材
４１、４１Ａ〜４１Ｃ  防音部材
【図１】
2004322462.tif 000003
【図２】
2004322462.tif 000004
【図３】
2004322462.tif 000005
【図４】
2004322462.tif 000006
【図５】
2004322462.tif 000007
【図６】
2004322462.tif 000008
【図７】
2004322462.tif 000009
【図８】
2004322462.tif 000010